(57)【要約】
【課題】左右同時に昇降柱及び天板は昇降し、安定して平衡昇降して比較的重い重量にも耐え、決められて位置にしっかりと固定されるデスクの昇降構造を提供する。
【解決手段】骨組みとなる左右対称の空洞柱１１、昇降柱２０、ラック２２を天板２６と組合せ、且つモータＭ、軸台１２、回転軸１３、駆動歯車１４、固定ボルト１６、接触に感知する接触スイッチ３０を組合せ、天板２６が自由に昇降し、且つ両ラック２２、駆動歯車１４は噛合い、安定した動作、決められた位置へしっかりと固定される効果となり、重たい重量にも耐え、安定した昇降をするので、多種多様に活用することができ、実用性を増進する効果を達成する。
【選択図】      図３
0003101292.tif 000002
【実用新案登録請求の範囲】
【請求項１】
骨組に空洞柱、空洞の昇降柱、天板を具有し、及びモータ、駆動歯車、ラックを組合せ、
該空洞柱は、左右対称に設け、正面上端へ凹型口を設け、両空洞柱の内側の上端へ軸台を設け、両空洞柱の軸台へ長い回転軸を組合せ、
該モータ回転軸は、左右それぞれに駆動歯車を設け、駆動歯車は空洞柱の凹型口へ対応し、両軸台の近くへそれぞれ定位ブロックを設け、回転軸が右、左と動くことを阻止するだけでなく、駆動歯車が傾くことを阻止し、
該昇降柱は、その正面へラックを組合せるべく長い正面凹型溝を設け、ラックは駆動歯車と噛合い、
上述により左右同時に昇降柱及び天板は昇降し、安定して平衡昇降して比較的重い重量にも耐え、決められて位置にしっかりと固定される効果を達成することを特徴とするデスクの昇降構造。
【請求項２】
前記昇降柱の背面側に設ける側面凹型溝の上下に接触スイッチを設け、またそれぞれ上下に設ける高さを設定する凸型ブロックは接触スイッチに配合し、最も高い位置、低い位置に昇降すると自動的に昇降を停止する効果を達成する
ことを特徴とする請求項１記載のデスクの昇降構造。
【考案の詳細な説明】
【技術分野】
【０００１】
本考案は、安定して昇降し、決められた位置にしっかりと固定し、重い重量にも耐えることができる昇降構造に係る。主な技術、目的は、
その１．モータ、歯車、ラックを骨組みに設けることにより、安定して平衡に昇降し、及び決められた位置にしっかりと固定し、極めて重い重量にも耐えることができ、実用性の範囲を拡大するものである。
その２．空洞柱、昇降柱はアルミをプレスしたもので形成されており、重量は軽いものである。
その３．上下へ接触を感知する接触スイッチを設け、最も高い位置、最も低い位置へ昇降すると自動的に停止する効果を具えるものである。
【背景技術】
【０００２】
公知の天板を昇降させる効果について、公知の構造はどれも一つの柱で昇降する構造となっており、耐重量も小さく、且つ安定性にも問題がある。  
【特許文献１】特開２００１−０９５６３０号公報
【考案の開示】
【考案が解決しようとする課題】
【０００３】
そこで、本考案は耐重量も大きく、且つ安定して平衡に昇降し、骨組の重量が軽いデスクの昇降構造を提供することを課題とする。
【課題を解決するための手段】
【０００４】
本考案の目的は、図１、２、３に示すように、主に骨組１０に空洞柱１１、空洞の昇降柱２０、天板２６を具有し、及びモータM、駆動歯車１３、ラック２２を組合せ、
該空洞柱１１は、左右対称に設け、正面上端へ凹型口１１０を設け、両空洞柱１１の内側の上端へ軸台１２を設け、モータ回転軸１３を空洞柱１１の軸台１２へ組合せ、
該モータ回転軸１３は、左右それぞれに駆動歯車１４を設け、駆動歯車１４は空洞柱１１の凹型口１０へ対応し、両軸台１２の近くへそれぞれ定位ブロック１５を設け、回転軸１３が右、左と動くことを阻止するだけでなく、駆動歯車１４が傾くことを阻止し、
該昇降柱２０は、その正面へラック２２を組合せるべく長い正面凹型溝２１を設け、ラック２２は駆動歯車１４と噛合い、昇降柱２０の背面側に設ける側面凹型溝２１０の上下に接触スイッチを設け、またそれぞれ上下に設ける高さを設定する凸型ブロック２３、２４は接触スイッチに配合し、最も高い位置、低い位置に昇降すると自動的に昇降を停止する効果を達成する。
すなわち、本考案の      は以下に述べる特徴を有する。
１．骨組に空洞柱、空洞の昇降柱、天板を具有し、及びモータ、駆動歯車、ラックを組合せ、
該空洞柱は、左右対称に設け、正面上端へ凹型口を設け、両空洞柱の内側の上端へ軸台を設け、両空洞柱の軸台へ長い回転軸を組合せ、
該モータ回転軸は、左右それぞれに駆動歯車を設け、駆動歯車は空洞柱の凹型口へ対応し、両軸台の近くへそれぞれ定位ブロックを設け、回転軸が右、左と動くことを阻止するだけでなく、駆動歯車が傾くことを阻止し、
該昇降柱は、その正面へラックを組合せるべく長い正面凹型溝を設け、ラックは駆動歯車と噛合い、
上述により左右同時に昇降柱及び天板は昇降し、安定して平衡昇降して比較的重い重量にも耐え、決められて位置にしっかりと固定される効果を達成することを特徴とする。
２．前記昇降柱の背面側に設ける側面凹型溝の上下に接触スイッチを設け、またそれぞれ上下に設ける高さを設定する凸型ブロックは接触スイッチに配合し、最も高い位置、低い位置に昇降すると自動的に昇降を停止する効果を達成する
ことを特徴とする。
【考案の効果】
【０００５】
本考案は、左右同時に昇降柱及び天板は昇降し、安定して平衡昇降して比較的重い重量にも耐え、決められて位置にしっかりと固定される効果を達成する。  
【考案を実施するための最良の形態】
【０００６】
本考案はの骨組み１０である空洞柱１１、昇降柱２０は空洞状を呈し、アルミをプレスして柱を成型することができ、特に昇降柱２０にアルミをプレスして成型したものを採用すると正面凹型溝２１、側面凹型溝２１０の成型が便利であり、また空洞柱１１、昇降柱２０をアルミをプレスして成型すると重量が軽くなる効果となり、移動にも便利である。
図３に示すように、デスクの昇降は、モータ制御器の昇降、停止ボタンを操作することにより動作を開始する。モータを回転させ（例  正転すると上昇し、反転すると下降する）、駆動歯車１４、回転軸１３を回転し、ラック２２を利用して昇降柱２０を上昇、下降し、天板２６を昇降し、動作を停止したい時は、停止ボタンを押し、又は最も高い位置、最も低い位置へくると接触スイッチ３０により上下凸型ブロック２３、２４は電源を切り、動作を停止する効果となる。
また、本考案は下記の優れた効果を具有する。
（１）  考案の駆動構造は、ラック２２、駆動歯車１４、回転軸１３を左右対称に設けることにより、左右同時に安定して、平衡に動作する効果となり、且つ停止すると両駆動歯車１４はラック２２へ噛合い固定されるため、決められた位置へしっかりと固定される効果となる。
（２）  上述の左右対称の駆動昇降、噛合って固定することにより重たい重量にも耐えるので、実用性を増進し、例えば、重たい機器をのせることもできるので工業用として利用でき、また病院用ストレッチャー（天板部分が床板となる）へも利用できる。
上述により、本考案の構造は確実に実用性を増加するものである。
【図面の簡単な説明】
【０００７】
【図１】本考案の立体分解図である。
【図２】本考案の組合せ立体外観図である。
【図３】本考案の組合せ断面及び昇降動作指示図である。
【符号の説明】
【０００８】
１０  骨組み
１１  空洞柱
１１０  凹型口
１２  軸台
１３  回転軸
１４  駆動歯車
１５  定位ブロック
１６  固定ボルト
２０  昇降柱
２１  正面凹型溝
２１０  側面凹型溝
２２  ラック
２３、２４  凸型ブロック
２５  支柱台
２６  天板
３０  接触スイッチ
M  モータ
【図１】
0003101292.tif 000003
【図２】
0003101292.tif 000004
【図３】
0003101292.tif 000005